(57)【要約】本開示において、カードリンクトオファーネットワークを提供するコンピュータプログラム、システム、及び方法が説明される。本ネットワークがホストされるシステムは、消費者が同じペイメントカードを複数の発行者サイトにて同じカードリンクトオファー（ＣＬＯ）にリンクすることを可能とする。購入取引が受領済みＣＬＯの条件を満たすと、本システムは、消費者によるＣＬＯ受領に関連付けられた発行者を特定する。本システムは、取引についての付与をどの発行者に行うかを決定するための１以上のルールを適用する。【選択図】図１
2020518067.tif 000002
【特許請求の範囲】
【請求項１】
消費者がペイメントカードを複数の発行者サイトにおいて同じオファーにリンクすることが可能なカードリンクトオファーネットワークを提供する方法であって、
複数のコンテンツ発行者及び複数の販売業者がアクセス可能なカードリンクトオファー（ＣＬＯ）ネットワークを提供するステップであって、販売業者は、前記ＣＬＯネットワークにおいてカードリンクトオファー（ＣＬＯ）を提示することができ、発行者は、前記ＣＬＯネットワークにて販売業者から提示されたＣＬＯをオンラインで発行することができ、消費者は、発行者のオンラインインタフェースを通じてＣＬＯを受領することができ、消費者は、同じペイメントカードを複数の発行者サイトにおいて有効とすることができ、消費者は、複数の発行者サイトにおける同じオファーに前記ペイメントカードをリンクすることができる、ステップと、
前記ＣＬＯネットワークにおいて提示された各ＣＬＯにつき、当該ＣＬＯを一意に特定するとともにオファー条件及び販売業者ＩＤに関連付けられるオファーＩＤを作成するステップであって、前記販売業者ＩＤは、当該ＣＬＯを提示した販売業者を一意に特定するものである、ステップと、
第１の発行者サイトにてＣＬＯを消費者が受領した旨の第１の通知を受信するステップであって、前記通知は、前記第１の発行者サイトに関連付けられた発行者ＩＤと、受領されたＣＬＯのオファーＩＤと、前記消費者のペイメントカード識別子とを含む、ステップと、
前記消費者のペイメントカード識別子を、（１）前記受領されたＣＬＯのオファーＩＤと、（２）前記受領されたＣＬＯに関連付けられた販売業者ＩＤと、（３）前記第１の発行者の発行者ＩＤとに関連付けるステップと、
前記受領されたＣＬＯに関連付けられたペイメントカード識別子と販売業者ＩＤの組を、前記ペイメントカード識別子と販売業者ＩＤの組に関わる取引の取引情報を受信する購入用のペイメントカードネットワークに登録するステップと、
消費者が他の発行者サイトにおいて同じペイメントカード識別子を用いて同じＣＬＯを受領した旨の、１以上の後続の通知を受信するステップと、
後続の各通知につき、受領されたＣＬＯに関連付けられたペイメントカード識別子とオファーＩＤと販売業者ＩＤとを、後続の発行者の発行者ＩＤに関連付けるステップであって、前記同じペイメントカード識別子とオファーＩＤと販売業者ＩＤとの組み合わせが複数の発行者に関連付けられる、ステップと、
登録されているペイメントカード識別子と販売業者ＩＤの組に合致する取引に関係する情報を前記ペイメントカードネットワークから受信するステップと、
前記取引が前記受領されたＣＬＯの条件を満たすと判断するステップと、
前記受領されたＣＬＯ及び前記ペイメントカード識別子に関連付けられた複数の発行者を特定するステップと、
前記取引についての付与対象となる発行者を選択するための１以上のルールを適用するステップと、
選択された発行者に対して前記取引についての付与を行うステップと
を含む方法。
【請求項２】
前記消費者が最後に前記ＣＬＯを受領したときの発行者が選択される、請求項１に記載の方法。
【請求項３】
前記消費者に対する特典が最大の発行者が選択される、請求項１に記載の方法。
【請求項４】
前記ＣＬＯの特典条件に従って前記消費者に特典を付与するステップを更に含む請求項１に記載の方法。
【請求項５】
特定された発行者に前記取引のコミッションを付与するステップを更に含む請求項４に記載の方法。
【請求項６】
コンピュータシステムにより実行されると、消費者がペイメントカードを複数の発行者サイトにおいて同じオファーにリンクすることが可能なカードリンクトオファーネットワークを提供する方法を前記コンピュータシステムに行わせることができるコンピュータプログラムを有する非一時的なコンピュータ可読型媒体であって、
前記方法は、
複数のコンテンツ発行者及び複数の販売業者がアクセス可能なカードリンクトオファー（ＣＬＯ）ネットワークを提供するステップであって、販売業者は、前記ＣＬＯネットワークにおいてカードリンクトオファー（ＣＬＯ）を提示することができ、発行者は、前記ＣＬＯネットワークにて販売業者から提示されたＣＬＯをオンラインで発行することができ、消費者は、発行者のオンラインインタフェースを通じてＣＬＯを受領することができ、消費者は、同じペイメントカードを複数の発行者サイトにおいて有効とすることができ、消費者は、複数の発行者サイトにおける同じオファーに前記ペイメントカードをリンクすることができる、ステップと、
前記ＣＬＯネットワークにおいて提示された各ＣＬＯにつき、当該ＣＬＯを一意に特定するとともにオファー条件及び販売業者ＩＤに関連付けられるオファーＩＤを作成するステップであって、前記販売業者ＩＤは、当該ＣＬＯを提示した販売業者を一意に特定するものである、ステップと、
第１の発行者サイトにてＣＬＯを消費者が受領した旨の第１の通知を受信するステップであって、前記通知は、前記第１の発行者サイトに関連付けられた発行者ＩＤと、受領されたＣＬＯのオファーＩＤと、前記消費者のペイメントカード識別子とを含む、ステップと、
前記消費者のペイメントカード識別子を、（１）前記受領されたＣＬＯのオファーＩＤと、（２）前記受領されたＣＬＯに関連付けられた販売業者ＩＤと、（３）前記第１の発行者の発行者ＩＤとに関連付けるステップと、
前記受領されたＣＬＯに関連付けられたペイメントカード識別子と販売業者ＩＤの組を、前記ペイメントカード識別子と販売業者ＩＤの組に関わる取引の取引情報を受信する購入用のペイメントカードネットワークに登録するステップと、
消費者が他の発行者サイトにおいて同じペイメントカード識別子を用いて同じＣＬＯを受領した旨の、１以上の後続の通知を受信するステップと、
後続の各通知につき、受領されたＣＬＯに関連付けられたペイメントカード識別子とオファーＩＤと販売業者ＩＤとを、後続の発行者の発行者ＩＤに関連付けるステップであって、前記同じペイメントカード識別子とオファーＩＤと販売業者ＩＤとの組み合わせが複数の発行者に関連付けられる、ステップと、
登録されているペイメントカード識別子と販売業者ＩＤの組に合致する取引に関係する情報を前記ペイメントカードネットワークから受信するステップと、
前記取引が前記受領されたＣＬＯの条件を満たすと判断するステップと、
前記受領されたＣＬＯ及び前記ペイメントカード識別子に関連付けられた複数の発行者を特定するステップと、
前記取引についての付与対象となる発行者を選択するための１以上のルールを適用するステップと、
選択された発行者に対して前記取引についての付与を行うステップと
を含む、非一時的なコンピュータ可読型媒体。
【請求項７】
前記消費者が最後に前記ＣＬＯを受領したときの発行者が選択される、請求項６に記載の非一時的なコンピュータ可読型媒体。
【請求項８】
前記消費者に対する特典が最大の発行者が選択される、請求項６に記載の非一時的なコンピュータ可読型媒体。
【請求項９】
前記ＣＬＯの特典条件に従って前記消費者に特典を付与するステップを更に含む、請求項６に記載の非一時的なコンピュータ可読型媒体。
【請求項１０】
特定された発行者に前記取引のコミッションを付与するステップを更に含む、請求項９に記載の非一時的なコンピュータ可読型媒体。
【請求項１１】
消費者がペイメントカードを複数の発行者サイトにおいて同じオファーにリンクすることが可能なカードリンクトオファーネットワークを提供する方法のためのコンピュータシステムであって、
１以上のプロセッサと、
前記１以上のプロセッサに接続され、前記１以上のプロセッサにより実行されると前記システムに処理を行わせる命令を記憶する１以上のメモリユニットと
を備え、
前記処理は、
複数のコンテンツ発行者及び複数の販売業者がアクセス可能なカードリンクトオファー（ＣＬＯ）ネットワークを提供するステップであって、販売業者は、前記ＣＬＯネットワークにおいてカードリンクトオファー（ＣＬＯ）を提示することができ、発行者は、前記ＣＬＯネットワークにて販売業者から提示されたＣＬＯをオンラインで発行することができ、消費者は、発行者のオンラインインタフェースを通じてＣＬＯを受領することができ、消費者は、同じペイメントカードを複数の発行者サイトにおいて有効とすることができ、消費者は、複数の発行者サイトにおける同じオファーに前記ペイメントカードをリンクすることができる、ステップと、
前記ＣＬＯネットワークにおいて提示された各ＣＬＯにつき、当該ＣＬＯを一意に特定するとともにオファー条件及び販売業者ＩＤに関連付けられるオファーＩＤを作成するステップであって、前記販売業者ＩＤは、当該ＣＬＯを提示した販売業者を一意に特定するものである、ステップと、
第１の発行者サイトにてＣＬＯを消費者が受領した旨の第１の通知を受信するステップであって、前記通知は、前記第１の発行者サイトに関連付けられた発行者ＩＤと、受領されたＣＬＯのオファーＩＤと、前記消費者のペイメントカード識別子とを含む、ステップと、
前記消費者のペイメントカード識別子を、（１）前記受領されたＣＬＯのオファーＩＤと、（２）前記受領されたＣＬＯに関連付けられた販売業者ＩＤと、（３）前記第１の発行者の発行者ＩＤとに関連付けるステップと、
前記受領されたＣＬＯに関連付けられたペイメントカード識別子と販売業者ＩＤの組を、前記ペイメントカード識別子と販売業者ＩＤの組に関わる取引の取引情報を受信する購入用のペイメントカードネットワークに登録するステップと、
消費者が他の発行者サイトにおいて同じペイメントカード識別子を用いて同じＣＬＯを受領した旨の、１以上の後続の通知を受信するステップと、
後続の各通知につき、受領されたＣＬＯに関連付けられたペイメントカード識別子とオファーＩＤと販売業者ＩＤとを、後続の発行者の発行者ＩＤに関連付けるステップであって、前記同じペイメントカード識別子とオファーＩＤと販売業者ＩＤとの組み合わせが複数の発行者に関連付けられる、ステップと、
登録されているペイメントカード識別子と販売業者ＩＤの組に合致する取引に関係する情報を前記ペイメントカードネットワークから受信するステップと、
前記取引が前記受領されたＣＬＯの条件を満たすと判断するステップと、
前記受領されたＣＬＯ及び前記ペイメントカード識別子に関連付けられた複数の発行者を特定するステップと、
前記取引についての付与対象となる発行者を選択するための１以上のルールを適用するステップと、
選択された発行者に対して前記取引についての付与を行うステップと
を含む、コンピュータシステム。
【請求項１２】
前記消費者が最後に前記ＣＬＯを受領したときの発行者が選択される、請求項１１に記載のシステム。
【請求項１３】
前記消費者に対する特典が最大の発行者が選択される、請求項１１に記載のシステム。
【請求項１４】
前記ＣＬＯの特典条件に従って前記消費者に特典を付与するステップを更に含む、請求項１１に記載のシステム。
【請求項１５】
特定された発行者に前記取引のコミッションを付与するステップを更に含む、請求項１４に記載のシステム。
【発明の詳細な説明】
【技術分野】
【０００１】
本発明は、概してカードリンクトオファーネットワークに関し、より具体的には、コンピュータが複数の発行者（publisher）サイトにてペイメントカードを同じオファーにリンクすることを可能とするカードリンクトオファーネットワークを提供することに関する。
【背景技術】
【０００２】
カードリンクトオファー（card-linked offer，CLO）（カード連動型オファー）は、クレジットカードとリンクしたデジタルオファーすなわちデジタルクーポンである。ＣＬＯは、複数の発行者及び複数の販売業者がアクセス可能なＣＬＯネットワークを通じて発行することができる。具体的には、発行者はＣＬＯネットワークに登録をする。販売業者は、ＣＬＯネットワークにてＣＬＯを提示し、そのＣＬＯを発行する発行者を選択することができる。
【０００３】
発行者は、オンラインサイト（例えば、ウェブサイト、モバイルアプリケーション）でＣＬＯを発行する。複数の発行者が同じＣＬＯを発行することがたびたびある。消費者は、発行者サイトでＣＬＯを受領することができる。具体的には、消費者は、ペイメントカードを発行者に登録し、ＣＬＯを受領する際にそのペイメントカードをそのＣＬＯにリンクする。消費者が、リンクされたペイメントカードを使って、ＣＬＯに関連付けられた販売業者において要件を満たした購入をすると、消費者に、受領したＣＬＯの特典条件（reward terms、報酬条件）による付与がなされる。
【発明の概要】
【発明が解決しようとする課題】
【０００４】
消費者がオファーを複数回にわたりカードにリンクすると、ユーザは、ディスカウント又はオファーされた特典を複数回にわたり受け取ることができ、これは販売業者にとって望ましいものではない。これは、「オファー累積問題（stackable-offer problem）」と呼ばれることが多い。既知のＣＬＯネットワークは、ユーザがカードを複数の発行者サイトで登録できないようにすることで、この問題に対処している。かかるネットワークでは、ユーザが、カードを複数の発行者サイト上で有効にしよう（登録しよう）としても、そのような登録の試みは拒否される。消費者は、それまでのサイトで自己のカードを削除した後、現在のサイトでそのカードを登録のために再入力しなければならない。これは、消費者体験の質の低下をもたらす。そのため、オファー累積問題の代替的な解決策を提供するＣＬＯネットワークが市場において求められている。
【課題を解決するための手段】
【０００５】
本開示内容において、カードリンクトオファーネットワークを提供するコンピュータプログラム、システム、及び方法が記載される。本ネットワークがホストされるシステムは、消費者が、ペイメントカードを複数の販売業者サイトにおいて登録し、複数の発行者サイトにおいて同じカードリンクトオファー（ＣＬＯ）にペイメントカードをリンクすることを可能とする。
【０００６】
販売業者は、ネットワークにおいてＣＬＯを提示し、発行者は、自己のオンラインサイト（例えば、ウェブサイト、モバイルアプリケーション）においてＣＬＯを発行する。消費者は、このサイトを通じてＣＬＯを受領することができる。
【０００７】
消費者がペイメントカードを用いて発行者サイトにてＣＬＯを受領する度に、システムは、データベース又は他の記憶デバイスにおいて、消費者のペイメントカードを発行者及びＣＬＯの双方に関連付ける。従来のＣＬＯネットワークとは異なり、本システムは、別の発行者サイトにおいて同じカードを登録しようとする試みも同じＣＬＯを受領しようとする試みも拒むことはない。その代わり、消費者が、複数の発行者サイトにおいて同じペイメントカードを同じＣＬＯにリンクすると、本システムは、同じペイメントカードとＣＬＯの組を複数の発行者に関連付ける。
【０００８】
本システムは、受領済みＣＬＯの条件を満たす取引を特定するために、ペイメントカードネットワークからの購入取引情報を定期的に解析する。受領済みＣＬＯを満たす取引が見つかると、本システムは、その取引におけるペイメントカードと、消費者によるＣＬＯの受領とにリンクされた発行者を特定する。消費者が、該当するペイメントカードを用いて複数の発行者においてＣＬＯを受領した場合は、本システムは、その取引についての付与対象となる発行者を選択するための１以上のルールを適用する。例えば、本システムは、消費者が最後にそのＣＬＯを受領した際の発行者を選択することができる。本システムでは、同じ消費者が他の発行者から受領した他のＣＬＯのケースが無視される。本システムは発行者を選択するためのルールを適用することから、消費者が複数の発行者サイトにおいてペイメントカードを同じオファーにリンクすることを可能としつつ、オファー累積問題にも対処することができる。
【０００９】
ある実施形態において、カードリンクトオファーネットワークを提供する方法は、
消費者がペイメントカードを複数の発行者サイトにおいて同じオファーにリンクすることが可能なカードリンクトオファーネットワークを提供する方法であって、
複数のコンテンツ発行者及び複数の販売業者がアクセス可能なカードリンクトオファー（ＣＬＯ）ネットワークを提供するステップであって、販売業者は、前記ＣＬＯネットワークにおいてカードリンクトオファー（ＣＬＯ）を提示することができ、発行者は、前記ＣＬＯネットワークにて販売業者から提示されたＣＬＯをオンラインで発行することができ、消費者は、発行者のオンラインインタフェースを通じてＣＬＯを受領することができ、消費者は、同じペイメントカードを複数の発行者サイトにおいて有効とすることができ、消費者は、複数の発行者サイトにおける同じオファーに前記ペイメントカードをリンクすることができる、ステップと、
前記ＣＬＯネットワークにおいて提示された各ＣＬＯにつき、当該ＣＬＯを一意に特定するとともにオファー条件及び販売業者ＩＤに関連付けられるオファーＩＤを作成するステップであって、前記販売業者ＩＤは、当該ＣＬＯを提示した販売業者を一意に特定するものである、ステップと、
第１の発行者サイトにてＣＬＯを消費者が受領した旨の第１の通知を受信するステップであって、前記通知は、前記第１の発行者サイトに関連付けられた発行者ＩＤと、受領されたＣＬＯのオファーＩＤと、前記消費者のペイメントカード識別子とを含む、ステップと、
前記消費者のペイメントカード識別子を、（１）前記受領されたＣＬＯのオファーＩＤと、（２）前記受領されたＣＬＯに関連付けられた販売業者ＩＤと、（３）前記第１の発行者の発行者ＩＤとに関連付けるステップと、
前記受領されたＣＬＯに関連付けられたペイメントカード識別子と販売業者ＩＤの組を、前記ペイメントカード識別子と販売業者ＩＤの組に関わる取引の取引情報を受信する購入用のペイメントカードネットワークに登録するステップと、
消費者が他の発行者サイトにおいて同じペイメントカード識別子を用いて同じＣＬＯを受領した旨の、１以上の後続の通知を受信するステップと、
後続の各通知につき、受領されたＣＬＯに関連付けられたペイメントカード識別子とオファーＩＤと販売業者ＩＤとを、後続の発行者の発行者ＩＤに関連付けるステップであって、前記同じペイメントカード識別子とオファーＩＤと販売業者ＩＤとの組み合わせが複数の発行者に関連付けられる、ステップと、
登録されているペイメントカード識別子と販売業者ＩＤの組に合致する取引に関係する情報を前記ペイメントカードネットワークから受信するステップと、
前記取引が前記受領されたＣＬＯの条件を満たすと判断するステップと、
前記受領されたＣＬＯ及び前記ペイメントカード識別子に関連付けられた複数の発行者を特定するステップと、
前記取引についての付与対象となる発行者を選択するための１以上のルールを適用するステップと、
選択された発行者に対して前記取引についての付与を行うステップと
を含む。
【図面の簡単な説明】
【００１０】
【図１】一実施形態による、ＣＬＯネットワークにおいてペイメントカード及び発行者をＣＬＯにリンクする方法を示すフローチャートである。
【図２】一実施形態による、受け取ったＣＬＯの条件を満たす取引についての付与を消費者及び発行者に行う方法を示すフローチャートである。
【図３】一実施形態による、ＣＬＯネットワークの一例を示すブロック図である。
【図４】一実施形態による、ＣＬＯネットワークを管理し、提供するコンピュータシステムのためのソフトウェアアーキテクチャの一例を示すブロック図である。
【発明を実施するための形態】
【００１１】
本願の開示内容は、消費者がペイメントカードを複数の発行者サイトで同じオファーにリンクすることを可能にするＣＬＯネットワークを提供するシステム、方法、及びコンピュータプログラム製品に関する。図１〜図４を参照しながら本方法を説明する。
【００１２】
［１．消費者がＣＬＯを受け取るための処理］
図１に、ＣＬＯネットワークにおいてペイメントカード及び発行者をＣＬＯにリンクすることに関連した、一実施形態によるステップを示す。ＣＬＯネットワークは、システム３１０（図３）等のコンピュータシステム（「システム」）上で管理される。本システムは、複数のコンテンツ発行者（例えば、発行者３２０）及び複数の販売業者（例えば、販売業者３３０）がアクセス可能なＣＬＯネットワークを提供する（ステップ１１０）。発行者は、消費者が閲覧するためのウェブサイト、モバイルアプリケーション、又は他のオンラインコンテンツを提供する。発行者のサイトの例として、ニュースウェブサイト、ソーシャルメディアウェブサイト、ソーシャルブログ、及びロイヤリティプロバイダウェブサイトがある。
【００１３】
発行者はＣＬＯネットワークに登録をし、販売業者はネットワークにてＣＬＯを提示する（あるいは、販売業者に代わってシステムアドミニストレータがＣＬＯを提示する）。販売業者は、提示したＣＬＯごとに当該ＣＬＯについて、１以上の登録された発行者を「有効」にする。有効となった発行者は、ＣＬＯを発行することができる。
【００１４】
消費者３４０は、発行者のオンラインインタフェース（例えば、ウェブサイト、モバイルアプリケーション）を通じてＣＬＯを受け取るために、ペイメントカードを発行者に登録する。本システムでは、消費者が同じペイメントカードを複数の発行者に登録することが許される。
【００１５】
ＣＬＯをネットワークに提示する各販売業者は、一意の販売業者ＩＤに関連付けられている。この販売業者ＩＤは、クレジットカード取引を処理するペイメントカードネットワークにおいて販売業者を特定するために用いられるものと同じ販売業者ＩＤである。
【００１６】
サイトに登録された各ＣＬＯにつき、本システムはオファーＩＤを作成する（ステップ１２０）。このオファーＩＤは、オファーを一意に特定し、オファー条件及び販売業者ＩＤと関連付けられる。場合によっては、オファーを、販売業者ＩＤに代えて又は販売業者ＩＤに加えて、１以上のストアＩＤに関連付けることができる。
【００１７】
消費者が発行者サイトでＣＬＯを受領すると、本システムは、発行者から受領の電子通知を受信する（ステップ１３０）。この通知は、発行者ＩＤと、オファーＩＤと、消費者のペイメントカード識別子（例えば、クレジットカード識別子）とを含む。本システムは、データベースにおいて、消費者のペイメントカード識別子を、（１）ＣＬＯのオファーＩＤと、（２）ＣＬＯに関連付けられた販売業者ＩＤ（及び／又は該当する場合にはストアＩＤ）と、（３）通知に含まれる発行者ＩＤとに関連付ける（ステップ１４０）。
【００１８】
本システムは、受領されたＣＬＯに関連付けられているペイメントカード識別子と販売業者ＩＤの組をペイメントカードネットワークに登録する（ステップ１５０）。これは、かかる組を用いて購入取引に関する情報を得るために行われる。一実施形態において、本ステップは、ペイメントカード識別子と販売業者ＩＤとの組に関連付けられている受領済みＣＬＯの数にかかわらず、一意のペイメントカード識別子と販売業者ＩＤの各組につき一度だけ行われる。特定のペイメントカードの処理主体については、本システムは、ペイメントカード識別子と販売業者ＩＤの組とともにオファーＩＤも登録する。
【００１９】
図１のシナリオにおいて、ステップ１３０における消費者は、同じペイメントカードを使って、１以上の他の発行者サイトをも通じて同じＣＬＯを受け取る。すると、本システムは、消費者が同じペイメントカード識別子を使ってＣＬＯを受け取った旨の１以上の後続の通知を、別の発行者から受信する（ステップ１６０）。従来のＣＬＯネットワークとは異なり、本システムは、同じペイメントカードを用いたこれらの後続の受領を拒否しない。その代わりに、後続の各通知につき、本システムは、消費者のペイメントカード識別子を、（１）ＣＬＯのオファーＩＤと、（２）ＣＬＯに関連付けられている販売業者ＩＤ（及び／又は該当する場合にはストアＩＤ）と、（３）後続の通知に含まれる発行者ＩＤとに関連付ける新たなエントリをデータベース内に作成する（ステップ１７０）。その結果、データベース内で同じペイメントカード及びＣＬＯが複数の発行者に関連付けられる。
【００２０】
［２．受け取ったＣＬＯを満たす取引についての消費者及び発行者に対する付与］
図２に、一実施形態による、受け取ったＣＬＯの条件を満たす取引について消費者及び発行者に対し付与を行うことに関連するステップを示す。図２に示すように、ペイメントカードネットワークは、登録されたペイメントカード識別子と販売業者ＩＤの組に合致する購入取引に関する情報を本システムに送る（ステップ２１０）。
【００２１】
本システムは、この取引情報を分析し、受領済みＣＬＯの条件を満たすあらゆる取引を特定する（ステップ２２０）。受領済みＣＬＯの条件を満たす取引が特定されると、本システムは、消費者によるＣＬＯの受領に関連付けられている（複数の）発行者を特定する（ステップ２３０）。
【００２２】
消費者は、複数の発行者サイト上で同じペイメントカードを同じオファーにリンクすることができるため、ユーザによるＣＬＯの受領に関連付けられた２以上の発行者が存在する場合がある。消費者が、同じペイメントカードを使って複数の発行者からＣＬＯを受領した場合、本システムは、取引につき付与を行うための発行者を選択する１以上のルールを適用する（ステップ２４０、２５０）。一実施形態において、本システムは、ユーザがＣＬＯを受領した最後の発行者を選択する。代替的な実施形態において、本システムは、第１に、ユーザが得る特典の大きさ（例えば、ロイヤリティによる発行者であれば、オファーに関連する特典は発行者に依存し得る）によって、第２に、ユーザがＣＬＯを受領したのが最近かどうかによって、発行者をランク付けする。例えば、本システムは、他の発行者よりも大きな特典をオファーした発行者を選択する。その一方で、２人の発行者間に関係があれば、本システムは、ユーザが最後にＣＬＯを受領した発行者を選択する。
【００２３】
発行者がロイヤリティによらない発行者の場合、本システムは、ＣＬＯの特典条件を特定し、関連するペイメントカードネットワークを通じて消費者のペイメントカードに対する付与の明細書を発行する（ステップ２６０）。この付与は特典条件に従う。発行者がロイヤリティによる発行者（例えば、Ｅｂａｔｅｓ社）である場合、本システムは、ロイヤリティによる発行者に取引を通知し、ロイヤリティによる発行者はロイヤリティ特典をユーザに付与できるようになる（同じくステップ２６０）。ＥＢＡＴＥＳ社等のロイヤリティ発行者は、そのロイヤリティプログラム（例えば、ポイント、マイル、キャッシュバック等）に関連したオファーを発行する。言い換えると、販売業者からオファーされる特典条件は、発行者のロイヤリティプログラムに関係する。ロイヤリティによらない発行者（例えば、ＣＮＮ、ＡＢＣ）は、ロイヤリティプログラムに関係しておらず、ロイヤリティによらない発行者から発行されるＣＬＯは、発行者がオファーする特典とは関係がない。ロイヤリティによらない発行者から発行されるＣＬＯにおける特典は、リンクされたペイメントカードに対する還元である。
【００２４】
本システムは、販売業者から取引についての手数料（commission）を得て、この取引の手数料の一部を用いて、受領済みＣＬＯに関連する発行者に対して付与を行う（ステップ２７０）。
【００２５】
ＣＬＯネットワークの更なる実施形態では、販売業者は、重複する複数のオファーを提示することができ、消費者は、それらのオファーのうちの１つのみ（例えば、送料無料又は１５％オフ）を取引に適用することができる。各オファーは、別々のオファーＩＤに関連付けられる。ユーザが、複数の発行者を通じてこのようなオファーを２つ以上受け取ると、本システムは、ユーザに最大の特典を提供するオファーを特定し、そのオファーに関連する発行者に取引についての付与を行う。言い換えると、本システムは、同じ販売業者からの、取引によって満たされる（それぞれオファーＩＤが異なる）複数のオファーを特定することができ、消費者に最も大きな利益を与えるオファーを選択する。消費者に最も大きな利益を与えるオファーが複数の発行者において受領されている場合、本システムは、ステップ２４０〜２５０を実行して、その取引につき付与を行う発行者を１つ選択する。
【００２６】
本明細書に記載の方法は、ソフトウェアにより具現化され、ソフトウェアを実行する（１以上のコンピューティングデバイスを備える）コンピュータシステムによって行われる。コンピュータシステムが、ソフトウェア命令を実行するための１以上のプロセッサに加えて、ソフトウェア命令を記憶するための１以上のメモリユニット、ディスク、又は他の物理的なコンピュータ可読型の記憶媒体を有することは、当業者に理解されよう。
【００２７】
図４に、本明細書に記載の方法によりＣＬＯネットワークを提供するシステム（例えば、システム３１０）のためのソフトウェアアーキテクチャの一例を示す。図４に示すアーキテクチャは一例であり、本システムは他の方法によっても実装することができる。図４のシステムは以下のモジュールを有する。  販売業者内モジュール（４０５）：  販売業者がＣＬＯネットワークへの登録を行うことを可能にする。
発行者内モジュール（４１０）：  発行者がＣＬＯネットワークへの登録を行うことを可能にする。
オファー作成モジュール（４１５）：  販売業者及び／又はシステムアドミニストレータが、オファー情報を作成して入力することを可能にする。新しいＣＬＯを受け付けると、オファーＩＤを作成し、オファー情報（例えば、オファーＩＤ、オファー条件、関連する販売業者ＩＤ、ストアＩＤ）をデータベース４４０に保存する。
オファー発行モジュール（４２０）：  発行者が発行を行うためにＣＬＯネットワークにおいてオファーにアクセスすることができるインタフェースを提供する。
オファーリンクモジュール（４２５）：  受領済みＣＬＯの通知を発行者から受信する。受領済みＣＬＯのオファーＩＤと、該当する発行者と、対応する販売業者とに対して、該当するペイメントカードをリンクする。データベース４４０を更新してリンクを反映させる。
ペイメントカードネットワークインタフェースモジュール（４３０）：  受領済みオファーに関連するペイメントカード識別子と販売業者ＩＤの組をペイメントカードネットワーク２５０に登録する。登録されたペイメントカード識別子と販売業者ＩＤの組に関係する取引情報をペイメントカードネットワーク３５０から受信する。
取引解析及び発行者選択モジュール（４３５）：  ペイメントカードネットワーク３５０から受信した取引情報を分析し、受領済みカードリンクトオファーの条件を満たす取引を特定する。１以上の発行が、同じオファーＩＤとペイメントカードＩＤの組にリンクされている場合、本モジュールは、１以上のルールを適用し、取引についての付与がなされる発行者（例えば、最後にリンクがなされた発行者、最も多くの特典に関連する発行者等）を選択する。
【００２８】
本発明の趣旨又は不可欠な特徴から逸脱することなく、本発明が他の具体的な形態で具現化される場合があることは当業者に理解されよう。したがって、上記の開示内容は、例示的なものであって、本発明の範囲の限定を目的とするものではない。
【図１】
2020518067.tif 000003
【図２】
2020518067.tif 000004
【図３】
2020518067.tif 000005
【図４】
2020518067.tif 000006
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
消費者がペイメントカードを複数の発行者サイトにおいて同じオファーにリンクすることが可能なカードリンクトオファーネットワークを提供する方法であって、
複数のコンテンツ発行者及び複数の販売業者がアクセス可能なカードリンクトオファー（ＣＬＯ）ネットワークを提供するステップであって、販売業者は、前記ＣＬＯネットワークにおいてカードリンクトオファー（ＣＬＯ）を提示することができ、発行者は、前記ＣＬＯネットワークにて販売業者から提示されたＣＬＯをオンラインで発行することができ、消費者は、発行者のオンラインインタフェースを通じてＣＬＯを受領することができ、消費者は、同じペイメントカードを複数の発行者サイトにおいて有効とすることができ、消費者は、複数の発行者サイトにおける同じオファーに前記ペイメントカードをリンクすることができる、ステップと、
前記ＣＬＯネットワークにおいて提示された各ＣＬＯにつき、当該ＣＬＯを一意に特定するとともにオファー条件及び販売業者ＩＤに関連付けられるオファーＩＤを作成するステップであって、前記販売業者ＩＤは、当該ＣＬＯを提示した販売業者を一意に特定するものである、ステップと、
第１の発行者サイトにてＣＬＯを消費者が受領した旨の第１の通知を受信するステップであって、前記通知は、前記第１の発行者サイトに関連付けられた発行者ＩＤと、受領されたＣＬＯのオファーＩＤと、前記消費者のペイメントカード識別子とを含む、ステップと、
前記消費者のペイメントカード識別子を、（１）前記受領されたＣＬＯのオファーＩＤと、（２）前記受領されたＣＬＯに関連付けられた販売業者ＩＤと、（３）前記第１の発行者の発行者ＩＤとに関連付けるステップと、
前記受領されたＣＬＯに関連付けられたペイメントカード識別子と販売業者ＩＤの組を、前記ペイメントカード識別子と販売業者ＩＤの組に関わる取引の取引情報を受信するために、ペイメントカードネットワークに登録するステップと、
消費者が他の発行者サイトにおいて同じペイメントカード識別子を用いて同じＣＬＯを受領した旨の、１以上の後続の通知を受信するステップと、
後続の各通知につき、受領されたＣＬＯに関連付けられたペイメントカード識別子とオファーＩＤと販売業者ＩＤとを、後続の発行者の発行者ＩＤに関連付けるステップであって、前記同じペイメントカード識別子とオファーＩＤと販売業者ＩＤとの組み合わせが複数の発行者に関連付けられる、ステップと、
登録されているペイメントカード識別子と販売業者ＩＤの組に合致する取引に関係する情報を前記ペイメントカードネットワークから受信するステップと、
前記取引が前記受領されたＣＬＯの条件を満たすと判断するステップと、
前記受領されたＣＬＯ及び前記ペイメントカード識別子に関連付けられた複数の発行者を特定するステップと、
前記取引についての付与対象となる発行者を選択するための１以上のルールを適用するステップと、
選択された発行者に対して前記取引についての付与を行うステップと
を含む方法。
【請求項２】
前記消費者が最後に前記ＣＬＯを受領したときの発行者が選択される、請求項１に記載の方法。
【請求項３】
前記消費者に対する特典が最大の発行者が選択される、請求項１に記載の方法。
【請求項４】
前記ＣＬＯの特典条件に従って前記消費者に特典を付与するステップを更に含む請求項１に記載の方法。
【請求項５】
特定された発行者に前記取引のコミッションを付与するステップを更に含む請求項４に記載の方法。
【請求項６】
コンピュータシステムにより実行されると、消費者がペイメントカードを複数の発行者サイトにおいて同じオファーにリンクすることが可能なカードリンクトオファーネットワークを提供する方法を前記コンピュータシステムに行わせることができるコンピュータプログラムを有する非一時的なコンピュータ可読型媒体であって、
前記方法は、
複数のコンテンツ発行者及び複数の販売業者がアクセス可能なカードリンクトオファー（ＣＬＯ）ネットワークを提供するステップであって、販売業者は、前記ＣＬＯネットワークにおいてカードリンクトオファー（ＣＬＯ）を提示することができ、発行者は、前記ＣＬＯネットワークにて販売業者から提示されたＣＬＯをオンラインで発行することができ、消費者は、発行者のオンラインインタフェースを通じてＣＬＯを受領することができ、消費者は、同じペイメントカードを複数の発行者サイトにおいて有効とすることができ、消費者は、複数の発行者サイトにおける同じオファーに前記ペイメントカードをリンクすることができる、ステップと、
前記ＣＬＯネットワークにおいて提示された各ＣＬＯにつき、当該ＣＬＯを一意に特定するとともにオファー条件及び販売業者ＩＤに関連付けられるオファーＩＤを作成するステップであって、前記販売業者ＩＤは、当該ＣＬＯを提示した販売業者を一意に特定するものである、ステップと、
第１の発行者サイトにてＣＬＯを消費者が受領した旨の第１の通知を受信するステップであって、前記通知は、前記第１の発行者サイトに関連付けられた発行者ＩＤと、受領されたＣＬＯのオファーＩＤと、前記消費者のペイメントカード識別子とを含む、ステップと、
前記消費者のペイメントカード識別子を、（１）前記受領されたＣＬＯのオファーＩＤと、（２）前記受領されたＣＬＯに関連付けられた販売業者ＩＤと、（３）前記第１の発行者の発行者ＩＤとに関連付けるステップと、
前記受領されたＣＬＯに関連付けられたペイメントカード識別子と販売業者ＩＤの組を、前記ペイメントカード識別子と販売業者ＩＤの組に関わる取引の取引情報を受信するために、ペイメントカードネットワークに登録するステップと、
消費者が他の発行者サイトにおいて同じペイメントカード識別子を用いて同じＣＬＯを受領した旨の、１以上の後続の通知を受信するステップと、
後続の各通知につき、受領されたＣＬＯに関連付けられたペイメントカード識別子とオファーＩＤと販売業者ＩＤとを、後続の発行者の発行者ＩＤに関連付けるステップであって、前記同じペイメントカード識別子とオファーＩＤと販売業者ＩＤとの組み合わせが複数の発行者に関連付けられる、ステップと、
登録されているペイメントカード識別子と販売業者ＩＤの組に合致する取引に関係する情報を前記ペイメントカードネットワークから受信するステップと、
前記取引が前記受領されたＣＬＯの条件を満たすと判断するステップと、
前記受領されたＣＬＯ及び前記ペイメントカード識別子に関連付けられた複数の発行者を特定するステップと、
前記取引についての付与対象となる発行者を選択するための１以上のルールを適用するステップと、
選択された発行者に対して前記取引についての付与を行うステップと
を含む、非一時的なコンピュータ可読型媒体。
【請求項７】
前記消費者が最後に前記ＣＬＯを受領したときの発行者が選択される、請求項６に記載の非一時的なコンピュータ可読型媒体。
【請求項８】
前記消費者に対する特典が最大の発行者が選択される、請求項６に記載の非一時的なコンピュータ可読型媒体。
【請求項９】
前記ＣＬＯの特典条件に従って前記消費者に特典を付与するステップを更に含む、請求項６に記載の非一時的なコンピュータ可読型媒体。
【請求項１０】
特定された発行者に前記取引のコミッションを付与するステップを更に含む、請求項９に記載の非一時的なコンピュータ可読型媒体。
【請求項１１】
消費者がペイメントカードを複数の発行者サイトにおいて同じオファーにリンクすることが可能なカードリンクトオファーネットワークを提供するためのコンピュータシステムであって、
１以上のプロセッサと、
前記１以上のプロセッサに接続され、前記１以上のプロセッサにより実行されると前記システムに処理を行わせる命令を記憶する１以上のメモリユニットと
を備え、
前記処理は、
複数のコンテンツ発行者及び複数の販売業者がアクセス可能なカードリンクトオファー（ＣＬＯ）ネットワークを提供するステップであって、販売業者は、前記ＣＬＯネットワークにおいてカードリンクトオファー（ＣＬＯ）を提示することができ、発行者は、前記ＣＬＯネットワークにて販売業者から提示されたＣＬＯをオンラインで発行することができ、消費者は、発行者のオンラインインタフェースを通じてＣＬＯを受領することができ、消費者は、同じペイメントカードを複数の発行者サイトにおいて有効とすることができ、消費者は、複数の発行者サイトにおける同じオファーに前記ペイメントカードをリンクすることができる、ステップと、
前記ＣＬＯネットワークにおいて提示された各ＣＬＯにつき、当該ＣＬＯを一意に特定するとともにオファー条件及び販売業者ＩＤに関連付けられるオファーＩＤを作成するステップであって、前記販売業者ＩＤは、当該ＣＬＯを提示した販売業者を一意に特定するものである、ステップと、
第１の発行者サイトにてＣＬＯを消費者が受領した旨の第１の通知を受信するステップであって、前記通知は、前記第１の発行者サイトに関連付けられた発行者ＩＤと、受領されたＣＬＯのオファーＩＤと、前記消費者のペイメントカード識別子とを含む、ステップと、
前記消費者のペイメントカード識別子を、（１）前記受領されたＣＬＯのオファーＩＤと、（２）前記受領されたＣＬＯに関連付けられた販売業者ＩＤと、（３）前記第１の発行者の発行者ＩＤとに関連付けるステップと、
前記受領されたＣＬＯに関連付けられたペイメントカード識別子と販売業者ＩＤの組を、前記ペイメントカード識別子と販売業者ＩＤの組に関わる取引の取引情報を受信するために、ペイメントカードネットワークに登録するステップと、
消費者が他の発行者サイトにおいて同じペイメントカード識別子を用いて同じＣＬＯを受領した旨の、１以上の後続の通知を受信するステップと、
後続の各通知につき、受領されたＣＬＯに関連付けられたペイメントカード識別子とオファーＩＤと販売業者ＩＤとを、後続の発行者の発行者ＩＤに関連付けるステップであって、前記同じペイメントカード識別子とオファーＩＤと販売業者ＩＤとの組み合わせが複数の発行者に関連付けられる、ステップと、
登録されているペイメントカード識別子と販売業者ＩＤの組に合致する取引に関係する情報を前記ペイメントカードネットワークから受信するステップと、
前記取引が前記受領されたＣＬＯの条件を満たすと判断するステップと、
前記受領されたＣＬＯ及び前記ペイメントカード識別子に関連付けられた複数の発行者を特定するステップと、
前記取引についての付与対象となる発行者を選択するための１以上のルールを適用するステップと、
選択された発行者に対して前記取引についての付与を行うステップと
を含む、コンピュータシステム。
【請求項１２】
前記消費者が最後に前記ＣＬＯを受領したときの発行者が選択される、請求項１１に記載のシステム。
【請求項１３】
前記消費者に対する特典が最大の発行者が選択される、請求項１１に記載のシステム。
【請求項１４】
前記ＣＬＯの特典条件に従って前記消費者に特典を付与するステップを更に含む、請求項１１に記載のシステム。
【請求項１５】
特定された発行者に前記取引のコミッションを付与するステップを更に含む、請求項１４に記載のシステム。
【国際調査報告】
2020518067.tif 000007